(57)【要約】【課題】  挿入接続を確実にする電子コネクタを提供する。【解決手段】本考案の電子コネクタは、接続プラグと、接続コンセントとを備え、前記接続プラグと前記接続コンセントとが磁性で接続し、前記接続プラグが、プラグベースと、プラグ探針と、プラグ磁性素子とを備え、前記プラグ探針と前記プラグ磁性素子とが、それぞれ前記プラグベースに設けられており、前記接続コンセントが、コンセントベースと、コンセント端子と、コンセント磁性素子とを備え、前記コンセント端子と前記コンセント磁性素子とが、それぞれ前記コンセントベースに設けられ、前記接続プラグと前記接続コンセントには、それぞれ前記接続プラグと前記接続コンセントの誤り挿入を防止するポカヨケ接続機構が設けられている。【選択図】図１
0003174760.tif 000002
【実用新案登録請求の範囲】
【請求項１】
接続プラグ（１）と、接続コンセント（２）とを備え、前記接続プラグ（１）と前記接続コンセント（２）とが磁性で接続し、前記接続プラグ（１）が、プラグベース（１１）と、プラグ探針（１２）と、プラグ磁性素子（１３）とを備え、前記プラグ探針（１２）と前記プラグ磁性素子（１３）とが、それぞれ前記プラグベース（１１）に設けられており、前記接続コンセント（２）が、コンセントベース（２１）と、コンセント端子（２２）と、コンセント磁性素子（２３）とを備え、前記コンセント端子（２２）と前記コンセント磁性素子（２３）とが、それぞれ前記コンセントベース（２１）に設けられている磁力電子コネクタであって、前記接続プラグ（１）と前記接続コンセント（２）とには、それぞれ前記接続プラグ（１）と前記接続コンセント（２）の誤り挿入を防止するポカヨケ接続機構が設けられており、前記ポカヨケ接続機構が１つの方向に沿ってしかお互いに対応接続できないことを特徴とする磁力電子コネクタ。
【請求項２】
前記接続プラグ（１）のポカヨケ接続機構がプラグ突出台（３）であり、前記接続コンセント（２）のポカヨケ接続機構がコンセント凹溝（４）であり、前記プラグ突出台（３）と前記コンセント凹溝（４）との断面がいずれも台形であり、前記プラグ突出台（３）が前記コンセント凹溝（４）に挿入することを特徴とする請求項１に記載の磁力電子コネクタ。
【請求項３】
前記接続プラグ（１）のポカヨケ接続機構がプラグ凹溝（８）であり、前記接続コンセント（２）のポカヨケ接続機構がコンセント突出台（７）であり、前記コンセント突出台（７）と前記プラグ凹溝（８）との断面がいずれも台形であり、前記コンセント突出台（７）が前記プラグ凹溝（８）に挿入することを特徴とする請求項１に記載の磁力電子コネクタ。
【請求項４】
前記プラグ突出台（３）とコンセント凹溝（４）とには、いずれも通し孔（５）が設けられていることを特徴とする請求項２に記載の磁力電子コネクタ。
【請求項５】
前記コンセント突出台（７）とプラグ凹溝（８）とには、いずれも通し孔（５）が設けられていることを特徴とする請求項３に記載の磁力電子コネクタ。
【請求項６】
前記プラグベース（１１）には、複数の貫通孔（１１１）が設けられており、前記プラグ探針（１２）の数量と前記貫通孔（１１１）の数量とが同様であり、前記コンセントベース（２１）のコンセント端子（２２）が前記プラグベース（１１）に対応的に接続されることを特徴とする請求項１に記載の磁力電子コネクタ。
【請求項７】
前記プラグ探針（１２）が弾性を有するプラグ探針であることを特徴とする請求項１に記載の磁力電子コネクタ。
【請求項８】
前記プラグ磁性素子（１３）が磁力によって吸着できるプラグ磁性素子であり、前記コンセント磁性素子（２３）が、磁石コンセント磁性素子であり、コンセント磁石Ｉ（２３１）と、コンセント磁石ＩＩ（２３２）とを備え、前記コンセント磁石Ｉ（２３１）と前記コンセント磁石ＩＩ（２３２）とがお互いに吸着することを特徴とする請求項１に記載の磁力電子コネクタ。
【請求項９】
前記プラグ磁性素子（１３）が、磁石プラグ磁性素子であり、プラグ磁石Ｉ（１３１）と、プラグ磁石ＩＩ（１３２）とを備え、前記プラグ磁石Ｉ（１３１）と前記プラグ磁石ＩＩ（１３２）とがお互いに吸着し、前記コンセント磁性素子（２３）が、磁石コンセント磁性素子であり、コンセント磁石Ｉ（２３１）とコンセント磁石ＩＩ（２３２）とを備え、前記コンセント磁石Ｉ（２３１）と前記コンセント磁石ＩＩ（２３２）とがお互いに吸着することを特徴とする請求項１に記載の磁力電子コネクタ。
【請求項１０】
前記プラグ磁性素子（１３）とコンセント磁性素子（２３）とには、いずれも保護外殻（６）が設けられていることを特徴とする請求項１に記載の磁力電子コネクタ。
【考案の詳細な説明】
【技術分野】
【０００１】
本考案は、電子コネクタに関し、特に、磁力電子コネクタに関する。
【背景技術】
【０００２】
電子コネクタ（回路コネクタ、電気コネクタともよく称されている）は、１つの回路における２つの導体をブリッジングして、電流又は信号が一方の導体から他方の導体に流れるようにする導体設備である。各種の電気回路に広く利用されており、電流又は信号を接続したり、切断したりする作用を発揮する。このような接続は、一時的なもの且つ常に挿抜することが便利なものであってもよく、電気設備又は導線の間の永久的な結合点であってもよい。
【０００３】
現在、ノートパソコン、携帯電話、デジタルカメラ等の携帯型電子機器は、人間の生活に広く利用されており、これらの電子機器には、一般に、外界の電源又は信号に接続される電子コネクタが設けられている。これらの電子コネクタは、設計に際して、抜落防止の問題をよく配慮し、構造にバックル又は把持装置を設計して堅固な接続を実現する。このような設計は、一台のノートパソコンが作動している時に、複数本のケーブルが異なる位置から同時に挿入して堅固的に係着することがあり、そのようにして、使用者が不注意してこれらのケーブルに誤って当たったり、それらを引張たりすると、ノートパソコンをケーブルと共に地面に引っ張って、ノートパソコンを壊してしまうことが可能である潜在的な危険が存在するという不良な現象をよく招く。例えばアップル社の番号ＵＳ７３１１５２６の特許のような従来の技術における磁力電子コネクタは、正にこの問題を解決し、正に磁石の吸着力を利用して電子コネクタの接触状態を維持し、使用者が不注意して誤ってケーブルに当たると、磁石の吸着力が引張力よりもかなり小さいので、コネクタの接合ヘッドが先に抜け出し、そのようにして、電子機器が引っ張られて損傷する状況を回避できる。番号ＵＳ７３１１５２６の特許のような従来の技術における電子コネクタは、上述した引っ張りによる設備損傷の問題を解決できるが、電子コネクタの誤り接続の問題を解決できない。電子コネクタの誤り接続は、信号又は電流が流れないことをしばしば招き、あちこちで故障を調べることになり、徒労に急いだ後、コネクタが反対に接続されたことを発見して、時間を浪費し、仕事を遅らせた。
【０００４】
番号ＵＳ７３１１５２６の特許が開示した磁力電子コネクタのような従来の技術における電子コネクタは、磁石の極性によって誤り挿入接続を防止し、開示した磁力電子コネクタが４つの磁石を組み立てなければ誤り挿入防止機能を実現できなく、製造コストが高いことが明らかであり、且つ磁石を組み立てる時に、磁石極性の吸着関係に厳しく従って組み立てる必要があり、一端を反対に組み立てると、この磁力電子コネクタが廃棄されることになり、企業に損失をもたらし、磁石の精確な組み立てが生産ラインの作業員に高い操作レベルを要求し、生産ラインの品質管理制御に一定の圧力をもたらしてしまう。
【考案の概要】
【考案が解決しようとする課題】
【０００５】
本考案は、従来の技術の不足点に対して、磁力の作用でコネクタの導通を維持し、意外的な引張力による電気設備への損傷を防止し、且つ使用者の誤り挿入接続による不必要な悩みを回避でき、コネクタの挿入接続の正確性を確保する磁力電子コネクタを提供することを目的とする。
【課題を解決するための手段】
【０００６】
上述した目的を実現するために、本考案は、接続プラグと、接続コンセントとを備え、前記接続プラグと前記接続コンセントとが磁性で接続し、前記接続プラグが、プラグベースと、プラグ探針と、プラグ磁性素子とを備え、前記プラグ探針と前記プラグ磁性素子とが、それぞれ前記プラグベースに設けられており、前記接続コンセントが、コンセントベースと、コンセント端子と、コンセント磁性素子とを備え、前記コンセント端子と前記コンセント磁性素子とが、それぞれ前記コンセントベースに設けられている磁力電子コネクタであって、前記接続プラグと前記接続コンセントとには、それぞれ前記接続プラグと前記接続コンセントの誤り挿入を防止するポカヨケ接続機構が設けられており、前記ポカヨケ接続機構が１つの方向に沿ってしかお互いに対応接続できないことを特徴とする磁力電子コネクタである。
【０００７】
また、前記接続プラグのポカヨケ接続機構がプラグ突出台であり、前記接続コンセントのポカヨケ接続機構がコンセント凹溝であり、前記プラグ突出台と前記コンセント凹溝との断面がいずれも台形であり、前記プラグ突出台が前記コンセント凹溝に挿入する。
【０００８】
また、前記接続プラグのポカヨケ接続機構がプラグ凹溝であり、前記接続コンセントのポカヨケ接続機構がコンセント突出台であり、前記コンセント突出台と前記プラグ凹溝との断面がいずれも台形であり、前記コンセント突出台が前記プラグ凹溝に挿入する。
【０００９】
また、前記プラグ突出台とコンセント凹溝とには、いずれも通し孔が設けられている。
【００１０】
また、前記コンセント突出台とプラグ凹溝とには、いずれも通し孔が設けられている。
【００１１】
また、前記プラグベースには、複数の貫通孔が設けられており、前記プラグ探針の数量と前記貫通孔の数量とが同様であり、前記コンセントベースには、前記プラグベースに対応的に接続されるコンセント端子が設けられている。
【００１２】
また、前記プラグ探針が弾性を有するプラグ探針である。
【００１３】
また、前記プラグ磁性素子が磁力によって吸着できるプラグ磁性素子であり、前記コンセント磁性素子が、磁石コンセント磁性素子であり、コンセント磁石Ｉと、コンセント磁石ＩＩとを備え、前記コンセント磁石Ｉと前記コンセント磁石ＩＩとがお互いに吸着する。
【００１４】
また、前記プラグ磁性素子が、磁石プラグ磁性素子であり、プラグ磁石Ｉと、プラグ磁石ＩＩとを備え、前記プラグ磁石Ｉと前記プラグ磁石ＩＩとがお互いに吸着し、前記コンセント磁性素子が、磁石コンセント磁性素子であり、コンセント磁石Ｉと、コンセント磁石ＩＩとを備え、前記コンセント磁石Ｉと前記コンセント磁石ＩＩとがお互いに吸着する。
【００１５】
また、前記プラグ磁性素子とコンセント磁性素子とには、いずれも保護外殻が設けられている。
【考案の効果】
【００１６】
本考案は、以下のような有益な効果があり、接続プラグと、接続コンセントとを備え、前記接続プラグと前記接続コンセントとが磁性で接続し、前記接続プラグが、プラグベースと、プラグ探針と、プラグ磁性素子とを備え、前記プラグ探針と前記プラグ磁性素子とが、前記プラグベースに設けられており、前記接続コンセントが、コンセントベースと、コンセント端子と、コンセント磁性素子とを備え、前記コンセント端子と前記コンセント磁性素子とが、それぞれ前記コンセントベースに設けられている磁力電子コネクタであって、前記接続プラグと前記接続コンセントとには、それぞれ前記接続プラグと前記接続コンセントの誤り挿入を防止するポカヨケ接続機構が設けられており、前記ポカヨケ接続機構が１つの方向に沿ってしかお互いに対応接続できないことを特徴とする磁力電子コネクタであり、磁力の作用でコネクタの導通を維持し、意外的な引張力による電気設備への損傷を防止でき、且つ使用者の誤り挿入接続による不必要な悩みを回避でき、コネクタの挿入接続の正確性を確保する。
【図面の簡単な説明】
【００１７】
【図１】本考案の実施例１の分解図である。
【図２】本考案のポカヨケ接続機構がプラグ突出台である接続プラグの構造模式図である。
【図３】本考案のポカヨケ接続機構がコンセント凹溝である接続コンセントの構造模式図である。
【図４】本考案の実施例１の構造模式図である。
【図５】本考案のプラグ磁性素子の構造模式図である。
【図６】本考案のコンセント磁性素子の構造模式図である。
【図７】本考案のポカヨケ接続機構がプラグ凹溝である接続プラグの構造模式図である。
【図８】本考案のポカヨケ接続機構がコンセント突出台である接続コンセントの構造模式図である。
【図９】本考案の実施例２の構造模式図である。
【図１０】本考案の実施例２の分解図である。
【考案を実施するための形態】
【００１８】
以下、添付図面を参照しながら本考案を詳しく記述する。
【実施例１】
【００１９】
図１〜図６に示すように、本考案の磁力電子コネクタは、接続プラグ１と、接続コンセント２とを備え、前記接続プラグ１と前記接続コンセント２とが磁性で接続し、前記接続プラグ１が、プラグベース１１と、プラグ探針１２と、プラグ磁性素子１３とを備え、前記プラグ探針１２と前記プラグ磁性素子１３とが、それぞれ前記プラグベース１１に設けられており、前記接続コンセント２が、コンセントベース２１と、コンセント端子２２と、コンセント磁性素子２３とを備え、前記コンセント端子２２と前記コンセント磁性素子２３とが、それぞれ前記コンセントベース２１に設けられており、前記接続プラグ１と前記接続コンセント２とには、ぞれぞれ前記接続プラグ１と前記接続コンセント２の誤り挿入を防止するポカヨケ接続機構が設けられており、前記ポカヨケ接続機構が１つの方向に沿ってしかお互いに対応接続できなく、本実施例の磁力電子コネクタが電流及び電気信号の伝送を実現でき、接続プラグ１のプラグ探針１２と接続コンセント２のコンセント端子２２が、それぞれの導線に接続される。プラグベース１１には、複数の貫通孔１１１が設けられており、前記プラグ探針１２の数量と前記貫通孔１１１の数量とが同様であり、前記コンセントベース２１には、前記プラグベース１１に対応的に接続されるコンセント端子２２が設けられており、プラグ探針１２とコンセント端子２２の数量が複数個であり、本実施例において、数量が３個であることが好ましい。プラグベース１１には、プラグベース１１の内部に嵌め込まれ、磁力によって吸着できるプラグ磁性素子であるプラグ磁性素子１３が設けられており、前記磁力によって吸着できるプラグ磁性素子が、鉄、ニッケル又はコバルト等の材料によって製作され、本実施例の好ましい材料が鉄であり、プラグ磁性素子１３の外層には、プラグ磁性素子１３をプラグベース１１の内部に固定できる保護外殻６が設けられている。コンセントベース２１には、コンセントベース２１の内部に嵌め込まれ、磁石コンセント磁性素子であり、コンセント磁石Ｉ２３１と、コンセント磁石ＩＩ２３２とを備えるコンセント磁性素子２３が設けられており、前記コンセント磁石Ｉ２３１と前記コンセント磁石ＩＩ２３２とがお互いに吸着する。コンセント磁性素子２３の外層には、同様にコンセント磁性素子２３をコンセントベース２１の内部に固定できる保護外殻６が設けられている。プラグ磁性素子１３は、コンセント磁性素子２３の磁力でお互いに吸引し、接続プラグ１と接続コンセント２とは、磁力の作用で、接続状態を維持でき、プラグ探針１２とコンセント端子２２とが、お互いに接触して導通を実現する。前記プラグ探針１１は、弾性を有するプラグ探針であり、プラグ探針１１とコンセント端子２２との接触がより充分且つ有効であり、電流及び電気信号の伝送がより信頼的である。
【００２０】
接続プラグ１と接続コンセント２とには、それぞれ前記接続プラグ１と前記接続コンセント２の誤り挿入を防止するポカヨケ接続機構が設けられており、前記接続プラグ１のポカヨケ接続機構が、プラグ突出台３であり、前記接続コンセント２のポカヨケ接続機構が、コンセント凹溝４であり、コンセント凹溝４が絶縁材料によって製造され、絶縁保護の作用を発揮する。前記プラグ突出台３と前記コンセント凹溝４との断面が、いずれも台形であり、前記プラグ突出台３が前記コンセント凹溝４に挿入し、前記プラグ突出台３とコンセント凹溝４との断面が、三角形、六角形又は菱形等の不規則的な図形であってもよく、本実施例において好ましくは台形である。使用者が接続プラグ１を接続コンセント２に接続する時に、台形をなすプラグ突出台３とコンセント凹溝４とが一対のポカヨケ接続機構を構成し、使用者がどのように挿入接続しても、１つの方向に沿ってしか接続プラグ１と接続コンセント２を接続できなく、使用者の誤り接続によって電器設備が正常に作動できないことを防止できる。前記プラグ突出台３とコンセント凹溝４とには、いずれも通し孔５が設けられており、前記コンセント突出台７とプラグ凹溝８とには、いずれも通し孔５が設けられており、通し孔５がそれぞれプラグ探針１２とコンセント端子２２を避けることに用いられ、プラグ探針１２とコンセント端子２２とがお互いに接触できるようにする。本実施例の磁力電子コネクタは、１つの磁石を組み立てることだけで吸着と誤り挿入防止の機能を同時に有し、製造コストを低下させただけではなく、組立が簡単であり、生産ラインの作業員の操作レベルに対する要求が高くなく、生産ラインの品質をよりよく管理制御することができる。
【実施例２】
【００２１】
本実施例は、前記プラグ磁性素子１３が、磁石プラグ磁性素子であり、プラグ磁石Ｉ１３１とプラグ磁石ＩＩ１３２とを備え、前記プラグ磁石Ｉ１３１と前記プラグ磁石ＩＩ１３２とがお互いに吸着し、前記コンセント磁性素子２３が、磁石コンセント磁性素子であり、コンセント磁石Ｉ２３１とコンセント磁石ＩＩ２３２とを備え、前記コンセント磁石Ｉ２３１と前記コンセント磁石ＩＩ２３２とがお互いに吸着し、プラグ磁性素子１３とコンセント磁性素子２３との磁石数量がいずれも２つであり、且つ磁石極性がお互いに対応的に吸引することで実施例１と異なる。プラグ磁性素子１３とコンセント磁性素子２３とがお互いに吸引し、接続プラグ１と接続コンセント２とが磁力の作用で、接続状態を維持でき、プラグ探針１２とコンセント端子２２とがお互いに接触して導通を実現する。本実施例の接続プラグ１と接続コンセント２は、それぞれ同時に２つの極性が異なる磁石を組み立て、構造上で誤り挿入防止機能を発揮できるだけではなく、磁石の極性上で誤り挿入防止機能も発揮でき、接続プラグ１と接続コンセント２との間の磁力をも増強して、磁力電子コネクタの接続をさらに堅くした。
【００２２】
本実施例の他の部分は、実施例１と同様であるので、ここで詳しく述べない。
【実施例３】
【００２３】
図７〜図１０に示すように、本実施例は、前記接続プラグ１のポカヨケ接続機構がプラグ凹溝８であり、前記接続コンセント２のポカヨケ接続機構がコンセント突出台７であり、前記コンセント突出台７と前記プラグ凹溝８との断面がいずれも台形であり、前記コンセント突出台７が前記プラグ凹溝８に挿入することで実施例１と異なり、多くの電器設備が自身の設計の原因で、接続プラグ１と接続コンセント２の挿入接続状態が交換でき、接続プラグ１にはプラグ凹溝８が設けられてもよく、接続コンセント２がコンセント突出台７と設けられてもよく、同様に誤り挿入防止機能を発揮でき、使用者がどのように挿入接続しても、１つの方向に沿ってしか接続プラグ１と接続コンセント２とを接続できなく、誤り接続を防止でき、磁力電子コネクタの接続正確性を確保する。
【００２４】
本実施例の他の部分は、実施例１と同様であるので、ここで詳しく述べない。
【００２５】
以上の内容は、本考案の好ましい実施例だけであり、当業者にとって、本考案の思想に従って、具体的な実施形態及び応用範囲に変更を加えることができ、本明細書の内容が本考案を制限するためのものであると理解できない。
【符号の説明】
【００２６】
１  接続プラグ、１１  プラグベース、１１１  貫通孔、１２  プラグ探針、１３  プラグ磁性素子、１３１  プラグ磁石Ｉ、１３２  プラグ磁石ＩＩ、２  接続コンセント、２１  コンセントベース、２２  コンセント端子、２３  コンセント磁性素子、２３１  コンセント磁石Ｉ、２３２  コンセント磁石ＩＩ、３  プラグ突出台、４  コンセント凹溝、５  通し孔、６  保護外殻、７  コンセント突出台、８  プラグ凹溝
【図１】
0003174760.tif 000003
【図２】
0003174760.tif 000004
【図３】
0003174760.tif 000005
【図４】
0003174760.tif 000006
【図５】
0003174760.tif 000007
【図６】
0003174760.tif 000008
【図７】
0003174760.tif 000009
【図８】
0003174760.tif 000010
【図９】
0003174760.tif 000011
【図１０】
0003174760.tif 000012